(57)【特許請求の範囲】
【請求項１】
媒体挿入口から挿入された冊子状の媒体を、処理後に前記媒体挿入口から排出する媒体処理装置において、
一対の搬送ガイドを有する共用搬送路と、前記媒体の媒体情報を処理する媒体情報処理手段とを有し、前記媒体挿入口から挿入された前記媒体を前記共用搬送路内に取込み、その媒体を前記共用搬送路内に保持した状態で、自体が挿入方向の直交方向である上下方向に移動する移送部と、
前記移送部から引渡された前記媒体の印字面に印字を行う印字部と、
前記移送部から引渡された前記媒体のページ捲りを行うページ捲り部と、を備え、
前記印字部を前記移送部の前記挿入方向の前方に配置し、前記ページ捲り部を前記印字部の下方に直列に配置したことを特徴とする媒体処理装置。
【請求項２】
請求項１に記載の媒体処理装置において、
前記移送部から引渡された前記媒体の媒体情報を処理する、少なくとも一つの媒体情報処理手段を有する媒体情報処理部を設け、
少なくとも一つの前記媒体情報処理部を、前記印字部の下方に直列に配置したことを特徴とする媒体処理装置。
【請求項３】
請求項１または請求項２に記載の媒体処理装置において、
前記媒体の印字面を垂直にして前記媒体挿入口へ挿入することを特徴とする媒体処理装置。
【請求項４】
請求項１または請求項２に記載の媒体処理装置において、
前記媒体の印字面を水平にして前記媒体挿入口へ挿入することを特徴とする媒体処理装置。
【請求項５】
請求項１ないし請求項４のいずれか一項に記載の媒体処理装置において、
収納した新媒体を繰出す新媒体収納部を設け、
少なくとも一つの前記新媒体収納部を、前記印字部の下方に直列に配置したことを特徴とする媒体処理装置。
【請求項６】
請求項１ないし請求項５のいずれか一項に記載の媒体処理装置において、
前記複数種類の冊子状の媒体が、取引が可能な各金融機関の通帳であることを特徴とする媒体処理装置。
【請求項７】
請求項１ないし請求項４のいずれか一項を引用する請求項６に記載の媒体処理装置と、前記各金融機関の上位装置と接続し取引カードのみを用いて顧客との取引を行う自動取引装置と、を接続した自動取引システムにおいて、
前記自動取引装置は、
顧客が選択した通帳を用いた取引を含む取引種別の入力を受付ける手段と、
前記取引の選択種別を受付けたときに、取引開始通知を前記媒体処理装置へ送信する手段と、
前記媒体処理装置から通帳挿入通知を受信する手段と、
前記通帳挿入通知を受信した場合であって、前記取引カードのカード情報を読取っていないときに、挿入された当該通帳の発行元の金融機関の金融機関情報の入力を受付ける手段と、
挿入された通帳の前記金融機関情報を、前記媒体処理装置へ送信する手段と、
前記媒体処理装置から当該通帳の通帳情報を受信する手段と、
前記受信した通帳情報を基に、前記上位装置と交信して未記帳の記帳データを取得する手段と、
前記通帳挿入通知を受信した場合であって、前記選択された取引の取引処理中に、前記上位装置と交信して当該取引の取引内容を含む記帳データを取得する手段と、
前記未記帳の記帳データまたは前記取引内容を含む記帳データを記帳情報として、前記媒体処理装置へ送信する手段と、
前記記帳情報の送信後に、前記媒体処理装置から記帳終了通知を受信する手段と、
前記記帳終了通知を受信したときに、前記選択された取引種別の取引終了処理を行う手段と、を備え、
前記媒体処理装置は、
前記自動取引装置から前記取引開始通知を受信したときに、前記媒体挿入口への通帳の挿入を可能にする手段と、
前記媒体挿入口への通帳の挿入を検出したときに、前記通帳挿入通知を前記自動取引装置へ送信すると共に当該通帳を前記移送部内に取込む手段と、
前記自動取引装置から前記金融機関情報を受信したときに、前記金融機関情報を基に特定した前記媒体情報処理手段によって、当該通帳の通帳情報を読取る手段と、
前記読取った通帳情報を前記自動取引装置へ送信する手段と、
前記自動取引装置から前記記帳情報を受信したときに、前記印字部によって当該通帳の印字面に前記記帳情報の記帳データを印字する印字処理を行う手段と、
前記記帳データの印字中に、当該通帳のページ捲りが必要になった場合は、前記移送部によって当該通帳を前記ページ捲り部へ移送して当該通帳のページ捲りを行う手段と、
当該通帳への印字処理が終了したときに、前記記帳終了通知を前記自動取引装置へ送信すると共に、前記移送部によって記帳を終えた当該通帳を前記媒体挿入口から排出する手段と、を備えることを特徴とする自動取引システム。
【請求項８】
請求項７に記載の自動取引システムにおいて、
前記媒体処理装置に、前記印字部の下方に直列に配置した、収納した新通帳を繰出す新媒体収納部を設け、
前記媒体処理装置は、
前記記帳データの印字中に、新通帳の発行が必要になった場合は、前記新媒体収納部から繰出した新通帳を、前記移送部によって前記印字部および前記金融機関情報を基に特定した前記媒体情報処理手段へ移送して、当該新通帳の発行処理を行う手段を備えることを特徴とする自動取引システム。
【発明の詳細な説明】
【技術分野】
【０００１】
本発明は、通帳等の冊子状の媒体を取込み、その媒体に対する磁気ストライプの読み書き処理や所定の印字処理等を行う通帳プリンタ等の媒体処理装置および自動取引システムに関する。
【背景技術】
【０００２】
銀行等の複数の金融機関との取引を可能にした従来の現金自動預払機、例えば、コンビニエンスストアに設置された現金自動預払機（いわゆるコンビニＡＴＭ）は、当該現金自動預払機を中継センタを介して各金融機関のホストシステムと接続し、現金自動預払機に設けられた、複数の金融機関の取引カードの取扱を可能にしたカード取扱部によってそのカード情報を読取り、読取ったカード情報を基に当該取引カードの発行元の金融機関を特定して当該金融機関の取引メニュー画面を表示し、出金取引、入金取引、残高照会取引、振込取引の選択入力を受付け、当該金融機関との選択された取引の処理を中継センタを介して行っている（例えば、特許文献１参照。）。
【０００３】
また、媒体処理装置としての通帳プリンタは、通帳挿入部と印字部と搬送路の奥側を上方に湾曲させたページ捲り部とを通帳の奥行方向に直列に配置し、通帳挿入部から挿入された通帳の磁気ストライプに記録された通帳情報を読取り、印字部によって読取った通帳情報を基に所定の印字を行い、改ページが必要な場合はページ捲り部へ搬送してページ捲りを行っている（例えば、特許文献２参照。）。
【先行技術文献】
【特許文献】
【０００４】
【特許文献１】特開２００１−２９０９４５号公報（段落００２０−００２８、第２−５図）
【特許文献２】特開昭６４−９７６８号公報（明細書第２頁右上欄９行−右下欄１３行、第１図）
【発明の概要】
【発明が解決しようとする課題】
【０００５】
しかしながら、上述した従来の特許文献１のシステムにおいては、複数の金融機関との取引を可能にしたコンビニＡＴＭ等の現金自動預払機においては、未記帳データの通帳記帳や通帳のみによる入金取引、取引内容等の通帳への記帳等を行うことができず、コンビニＡＴＭを利用する顧客の利便性が低下するという問題がある。これは、金融機関毎に通帳の磁気ストライプの形状、位置等の仕様が異なることと、コンビニエンスストアにおける現金自動預払機の設置スペース、特に奥行方向の長さに制限があることが、主な要因である。
【０００６】
この場合に、特許文献２の通帳プリンタを各金融機関の通帳毎に設置すると、通帳挿入部と印字部とページ捲り部とが奥行方向に直列に配置されているため、奥行方向の長さが長くなって設置スペースが大きくなり、設置スペースが制限されるコンビニエンスストア等に設置することが困難になるという問題がある。
本発明は、上記の問題点を解決するためになされたもので、複数の金融機関の通帳の取扱を可能にすると共に媒体処理装置の奥行方向の長さを短くする手段を提供することを目的とする。
【課題を解決するための手段】
【０００７】
本発明は、上記課題を解決するために、媒体挿入口から挿入された冊子状の媒体を、処理後に前記媒体挿入口から排出する媒体処理装置において、一対の搬送ガイドを有する共用搬送路と、前記媒体の媒体情報を処理する媒体情報処理手段とを有し、前記媒体挿入口から挿入された前記媒体を前記共用搬送路内に取込み、その媒体を前記共用搬送路内に保持した状態で、自体が挿入方向の直交方向である上下方向に移動する移送部と、前記移送部から引渡された前記媒体の印字面に印字を行う印字部と、前記移送部から引渡された前記媒体のページ捲りを行うページ捲り部と、を備え、前記印字部を前記移送部の前記挿入方向の前方に配置し、前記ページ捲り部を前記印字部の下方に直列に配置したことを特徴とする。
【発明の効果】
【０００８】
これにより、本発明は、取引が可能な金融機関の複数種類の冊子状の媒体の取扱が可能になると共に媒体処理装置の奥行寸法を小さくして、媒体処理装置の設置スペースを少なくすることができるという効果が得られる。
【図面の簡単な説明】
【０００９】
【図１】実施例１の自動取引システムの構成を示すブロック図
【図２】実施例１の通帳プリンタの正面側から見た外観を示す説明図
【図３】図１の右側面側から見た外観を示す説明図
【図４】実施例１の通帳プリンタの側面側から見た概略構成を示す説明図
【図５】図３のＡ−Ａ断面線に沿った上面側から見た断面を示す説明図
【図６】実施例１の通帳プリンタで取扱う各種通帳を示す説明図
【図７】実施例１の現金自動預払機の取引処理を示すフローチャート
【図８】実施例１の通帳プリンタの通帳処理を示すフローチャート
【図９】実施例２の通帳プリンタの構成を示すブロック図
【図１０】実施例２の通帳プリンタの外観を示す説明図（（ａ）は正面側、（ｂ）は右側面側から見た説明図）
【図１１】実施例２の通帳プリンタの側面側から見た概略構成を示す説明図
【図１２】図１１のＢ−Ｂ断面線に沿った上面側から見た断面を示す説明図
【図１３】実施例２の通帳プリンタの通帳処理を示すフローチャート
【図１４】実施例３の通帳プリンタの構成を示すブロック図
【図１５】実施例３の通帳プリンタの側面側から見た概略構成を示す説明図
【図１６】実施例３の通帳プリンタの通帳処理を示すフローチャート
【発明を実施するための形態】
【００１０】
以下に、図面を参照して本発明による媒体処理装置および自動取引システムの実施例について説明する。
【実施例１】
【００１１】
本実施例の自動取引システムは、図１に示すように、銀行等の複数の金融機関との取引を可能にした自動取引装置としての現金自動預払機１と、複数種類の冊子状の媒体としての通帳Ｔの取扱を可能にした媒体処理装置としての通帳プリンタ２とをＬＡＮ（Ｌｏｃａｌ  Ａｒｅａ  Ｎｅｔｗｏｒｋ）等のネットワーク４により接続すると共に、現金自動預払機１を各金融機関のセンタ等に設置された上位装置としてのホストコンピュータ６と専用回線等の通信回線７を介して接続して構成される。
【００１２】
本実施例の現金自動預払機１は、コンビニエンスストアに設置されたコンビニＡＴＭであって、取引が可能な複数の金融機関の取引カードのみを用いて顧客との取引を自動で行う機能を有している。
【００１３】
本実施例の通帳プリンタ２は、現金自動預払機１で取引を行うことが可能な各金融機関の通帳Ｔの処理が可能なプリンタであって、各通帳Ｔに貼付された磁気ストライプＳに磁気データとして記録されている当該通帳Ｔの発行元を示す金融機関名や顧客の口座の口座番号等の口座情報等の媒体情報としての通帳情報を読み書きする機能を有すると共に当該通帳Ｔに取引内容等を記帳する機能等を有しており、図２に示すように、ネットワーク４を介して通帳プリンタ２への各種の指令を送信する現金自動預払機１の側面に接して通帳挿入口２４を正面側に向けて縦長に設置されている。
【００１４】
これにより、本実施例の現金自動預払機１は、各金融機関の取引カードを用いた取引は現金自動預払機１自体で実行し、各金融機関の通帳Ｔを用いた取引は接続されている通帳プリンタ２によって取得した通帳情報等を用いて実行することができ、各金融機関の通帳Ｔのみを用いた入金取引（取引カードを用いない入金取引）や通帳記帳取引等の通帳取引や取引後の通帳Ｔへの取引内容等の記帳を含む各種の取引処理を実行することが可能になっている。
また、本実施例の通帳プリンタ２の奥行方向の長さは、図３に示すように、コンビニＡＴＭの奥行方向の長さと同等になっている。
【００１５】
ホストコンピュータ６は、設置された金融機関における口座開設者である顧客の口座の店番号、口座番号、口座科目等の口座情報やその暗証番号、口座残高等の顧客情報を保有して当該金融機関における顧客の口座を管理する。
なお、図１においては、本実施例の現金自動預払機１が接続するホストコンピュータ６は一つとして図示したが、本実施例の通信回線７には、現金自動預払機１で取引が可能な複数の金融機関のホストコンピュータ６が接続されている。
【００１６】
１１は現金自動預払機１のＡＴＭ制御部であり、通信部１２によって通信回線７を介してホストコンピュータ６と、ネットワーク４を介して通帳プリンタ２と接続しており、現金自動預払機１内の各部および通帳プリンタ２を制御して通帳Ｔを用いた取引を含む取引処理等を実行する機能を有している。
１３は現金自動預払機１の記憶部であり、ＡＴＭ制御部１１が実行するプログラムやそれに用いる各種のデータおよびＡＴＭ制御部１１による処理結果等が格納される。
【００１７】
１４は現金自動預払機１の表示部であり、ＬＣＤ等の表示画面およびタッチパネル等を備えており、取引選択画面や各種の入力画面、顧客の処置を促す画面等を表示する機能を有すると共に、顧客が選択した取引の入力等を受付ける機能を有している。
【００１８】
１５は現金自動預払機１のキー入力部であり、テンキーや、金額の単位を入力するための「万」キー、「千」キー、「円」キー、入力の間違いを訂正するための「訂正」キー、出金金額等の入力終了を指示するための「確認」キー等の各種の入力キーを備えており、顧客の暗証番号や金額等の入力を受付ける機能を有している。
本実施例の入力手段は、表示部１４のタッチパネルおよびキー入力部１５により構成される。
【００１９】
１６はカード取扱部であり、カード挿入口１６ａ（図２参照）から挿入された顧客のキャッシュカードやクレジットカード等の取引カードの磁気ストライプやＩＣチップに記録されている取引カードの発行元を示す金融機関名や顧客の口座情報等のカード情報を読み書きする機能を有すると共に明細票等に取引内容等を印刷する機能等を有している。
【００２０】
１７は紙幣取扱部であり、入金取引時等に紙幣入出金口１７ａ（図２参照）によって顧客が投入した紙幣を受入れ、これを鑑別および計数して収納庫に収納し、出金取引時等に収納庫から顧客に支払う紙幣を繰出し、これを計数して紙幣入出金口１７ａから排出して顧客に引渡す機能を有している。
【００２１】
本実施例の通帳プリンタ２は、以下に示す構成を備えている。
２１は通帳プリンタ２のプリンタ制御部であり、通信部２２によってネットワーク４を介して現金自動預払機１と接続しており、現金自動預払機１からの指令を基に、通帳プリンタ２内の各部を制御して、ホストコンピュータ６とのデータ送受信、媒体の搬送、印字処理および通帳情報の読取りや書込み処理等の通帳処理を実行する機能を有している。
２３は通帳プリンタ２の記憶部であり、プリンタ制御部２１が実行するプログラムやそれに用いる各種のデータおよびプリンタ制御部２１による処理結果等が格納される。
【００２２】
図４、図５において、２４は媒体挿入口としての通帳挿入口であり、通帳プリンタ２の装置本体の正面（操作側の面のことをいう。図２参照）の上部に設けられた、通帳Ｔの挿入および排出を兼用で行う一つの開口であって、各金融機関との取引で用いられる通帳Ｔの中で最大の通帳Ｔが挿入可能な大きさを有している。
【００２３】
２４ａは挿入センサであり、通帳挿入口２４の下部に配置された光学式のセンサであって、媒体の挿入および排出を検出すると共に、挿入された媒体の挿入方向の長さを検出する機能を有している。
また、通帳挿入口２４には、各種の通帳Ｔの幅（通帳Ｔの挿入方向に直交する方向、本実施例では綴じ目の方向（図６参照）の長さをいう。）を検出する機能を有する図示しない通帳幅検出センサや、通帳挿入口２４を開閉する図示しないシャッタ等が設けられている。
【００２４】
本実施例の通帳プリンタ２は、通帳挿入口２４（図２参照）から印字面を垂直にして、おもて表紙側から挿入された通帳Ｔを取込んで通帳Ｔの挿入方向の直交方向（挿入直交方向または移送方向という。）である上下方向（垂直方向）に移送する移送部２５、移送部２５から引渡された通帳Ｔの印字面に印字を行う印字部２６、通帳Ｔ等の冊子状媒体の改ページが必要となった場合にページ捲りを行うページ捲り部２７、後述する各金融機関の通帳Ｔに貼付された各種の磁気ストライプＳに記録された通帳情報を読み書きする媒体情報処理手段としての磁気ヘッド２８を装備した３つの媒体情報処理部としての通帳情報処理部２９等を備え、通帳挿入口２４から挿入された通帳Ｔを移送部２５で取込み、その通帳Ｔの種類に応じて移送部２５により対応する通帳情報処理部２９へ移送して通帳情報の読取処理を行い、通帳情報の読取後に、移送部２５により印字部２６へ移送して印字処理を行い、印字後の通帳Ｔを移送部２５へ引渡して通帳挿入口２４から排出するように構成されている。
【００２５】
また、本実施例の印字部２６は、通帳プリンタ２の上部に配置された通帳挿入口２４と同等の高さに設けられ、ページ捲り部２７および各通帳情報処理部２９の各搬送路は、印字部２６の、後述する印字搬送路３６の搬送ガイド３６ａ等のガイド面と同一面上となるように、その下方に並べて直列に配置されている。
このため、本実施例の共用搬送路３１、印字搬送路３６、捲り搬送路４０、各処理搬送路４５は、通帳Ｔの印字面を垂直にして搬送するように設置されている。
【００２６】
本実施例の通帳プリンタ２が取扱う通帳Ｔは、図６に示すタイプ１〜タイプ６の６種類であり、各通帳Ｔの磁気ストライプＳは、その形状、貼付位置、大きさ、通帳情報の記録方式等がそれぞれ異なっており、各通帳Ｔの裏表紙に貼付されている。
また、図６に示す各通帳Ｔは、おもて表紙および裏表紙側から見たもので反対側は印字面となる。また、通帳Ｔは図６に矢印で示す挿入方向、つまり綴じ目の直交方向へ印字面を垂直にして、おもて表紙側から挿入される。
【００２７】
タイプ１〜タイプ４は、磁気ストライプＳが通帳Ｔの挿入方向と平行になるよう貼付されたものであり、磁気ストライプＳの貼付位置、太さ、長さ等が異なっている。
また、タイプ５、タイプ６は磁気ストライプＳが媒体の挿入方向と直交するように貼付されたものであり、磁気ストライプＳの貼付位置、太さ、長さ等が異なっている。
【００２８】
移送部２５は、図４、図５に示すように、通帳挿入口２４から印字面を開いた状態（図６参照）で挿入された通帳Ｔを、開いた通帳Ｔの表裏の面を案内する一対の搬送ガイド３１ａ、３１ｂ間の共用搬送路３１内に取込んで、通帳Ｔの挿入直交方向に通帳Ｔを移送する機能を有し、無端の歯付ベルトとこれを駆動する歯付プーリ等からなる図示しない移送機構に取付けられており、通帳処理開始時においては、移送部２５の共用搬送路３１が通帳挿入口２４と対向する位置（図４に実線で示す移送部２５の位置、取込位置という。）に停止している。
【００２９】
また、移送部２５は、共用搬送路３１がページ捲り部２７および各通帳情報処理部２９の各搬送路と対向する位置（通帳受渡位置という。）に、図示しない検知手段により位置決めされて停止可能に構成されており、取込位置から、図４に破線で示す最下部の通帳情報処理部２９ｃの通帳受渡位置までの間を上下方向（垂直方向）、つまり図４に矢印で示すＵ方向またはＬ方向に往復移動する。
【００３０】
３３は搬送ローラであり、通帳Ｔを搬送する搬送フィードローラ３３ａと、搬送フィードローラ３３ａに通帳Ｔを押付ける搬送プレッシャローラ３３ｂとで構成され（図５参照）、通帳挿入口２４から挿入された通帳Ｔを搬送フィードローラ３３ａと搬送プレッシャローラ３３ｂとで挟持して、挿入方向または排出方向、つまり図４に矢印で示すＲ方向またはＦ方向に搬送する搬送ローラである。
【００３１】
また、本実施例においては、通帳挿入口２４から挿入された各種の通帳Ｔは移送部２５内に取込まれ、搬送ローラ３３に挟持された状態で移送される。
搬送フィードローラ３３ａは、シャフトに複数の搬送フィードローラ３３ａが固定された構造となっており、搬送ガイド３１ａ側に配置され、その外周面の一部がこの搬送ガイド３１ａのガイド面から突出している（図５参照）。
【００３２】
搬送プレッシャローラ３３ｂは、搬送ガイド３１ｂ側の搬送フィードローラ３３ａと１対１で対向する位置に設けられ、また移送部２５に設けられた搬送プレッシャローラ３３ｂは、搬送ガイド３１ｂのガイド面から突出して通帳Ｔを搬送フィードローラ３３ａに押付ける位置から、搬送ガイド３１ｂのガイド面から退避する位置まで移動する機構を備えている（図５参照）。
本実施例の移送部２５には、搬送ローラ３３は通帳Ｔの搬送方向に沿った方向に３つ、搬送方向の直交方向に２つ設けられている。
【００３３】
３４は共用基準面であり、図４に示すように、各種の通帳Ｔを搬送する際の基準となる面であって、搬送ガイド３１ａおよび搬送ガイド３１ｂに直交して配置され、各種通帳Ｔの搬送基準として機能する。また、本実施例の共用基準面３４は、移送部２５が取込位置に停止しているときに、通帳挿入口２４の開口の挿入直交方向の一の端面と面一になる位置に設けられている。
【００３４】
２８ａ、２８ｂは移送部２５内に配置された磁気ヘッドであり、通帳Ｔに貼付された磁気ストライプＳに磁気データで記録された通帳情報の読取り、書込みを行う機能を有しており、本実施例では、磁気ヘッド２８ａが、図６に示すタイプ１の通帳Ｔに貼付された磁気ストライプＳに対応する位置に配置され、磁気ヘッド２８ｂが、タイプ２の通帳Ｔに貼付された磁気ストライプＳに対応する位置に配置され、その移送部２５における挿入方向の位置は、共用通路３１に取込まれた通帳の表紙側に位置している。
【００３５】
なお、移送部２には、上記の他に、通帳Ｔが共用搬送路３１内に取込まれたことを検出する図示しない通帳検知センサや、共用搬送路３１内に取込まれた通帳Ｔの一端を共用基準面３４に突当てる図示しない幅寄せ機構等を有している。この通帳Ｔの幅寄せ機構としては、例えば、特開２０００−２８１２４５号公報に開示されたものを用いることができる。
【００３６】
上記の構成により、本実施例の移送部２５は、挿入された通帳Ｔの取込み、幅寄せ、特定の通帳Ｔの磁気ストライプＳの読取り、書込み、処理が終了した通帳Ｔを排出する機能等を備えており、移送部２５の挿入方向の奥側に上下方向に配置された各部との間で、通帳Ｔの受渡しが可能となっている。
【００３７】
印字部２６は、通帳Ｔへの印字を行うための印字ヘッド２６ａとこれに対向して設けられたプラテン２６ｂとインクリボンカセット２６ｃとを備え（図５参照）、共用搬送路３１の搬送ガイド３１ａ、３１ｂと同様の機能を有する一対の搬送ガイド３６ａ、３６ｂ間の印字搬送路３６により搬送された通帳Ｔに印字を行う機能を有しており、印字搬送路３６を通帳挿入口２４に対向させて装置本体の背面側の最上位に配置されている。
【００３８】
また、本実施例の印字搬送路３６には、共用搬送路３１と同様の搬送ローラ３３が、通帳Ｔの搬送方向に沿った方向に２つ、搬送方向の直交方向に２つ設けられており、各搬送ローラ３３は、図５に示すように、印字搬送路３６内で搬送プレッシャローラ３３ｂが搬送フィードローラ３３ａを押圧した状態になっている。
【００３９】
３７はページセンサであり、読取対象となる通帳Ｔのページマークの位置が異なっても読取りが可能な構成となっており、例えば、特開２０００−２８５２８０号公報に開示されたものを用いることができる。
【００４０】
３８は印字基準面であり、図４に示すように、印字する各種の通帳Ｔを搬送する際の基準となる面であって、搬送ガイド３６ａおよび搬送ガイド３６ｂに直交して設けられている。また、印字基準面３８は、取込位置に位置する移送部２５の共用基準面３４と面一になる位置に設けられている。
上記の構成により、本実施例の印字部２６は、通帳Ｔへの印字、印字のための印字済み行の検出、および通帳Ｔのページ番号の読取り等の機能を備えている。
【００４１】
ページ捲り部２７は、図４に示すように、捲り搬送路４０に配置された捲りローラ４１とこれに対向するクランプローラ４２とを備え、冊子状の通帳Ｔのページ捲り等を行うことが可能な構成になっている。このような構成としては、例えば、特開平１０−０８６５５３号公報に開示されたような構造を用いることができる。また、捲りローラ４１としては、例えば、特開２０００−２９３７３５号公報の図３に開示されたものを用いることができる。
また、本実施例の捲り搬送路４０には、共用搬送路３１と同様の搬送ローラ３３が、捲りローラ４１の搬送方向の前後に各１つ、搬送方向の直交方向に２つ設けられている。
【００４２】
通帳情報処理部２９ａは、通帳Ｔに貼付された磁気ストライプＳに磁気データで記録された通帳情報の読取り、書込みを行う磁気ヘッド２８ｃ、２８ｄを備え、共用搬送路３１の搬送ガイド３１ａ、３１ｂと同様の機能を有する一対の搬送ガイド間の処理搬送路４５ａにより搬送され、共用搬送路３１の磁気ヘッド２８ａ、２８ｂでは読取ることができなかった通帳Ｔの通帳情報を読取る機能を有している。本実施例では、磁気ヘッド２８ｃが、図６に示すタイプ４の通帳Ｔに貼付された磁気ストライプＳに対応する位置に配置され、磁気ヘッド２８ｄが、タイプ３の通帳Ｔに貼付された磁気ストライプＳに対応する位置に配置されている。
【００４３】
また、本実施例の処理搬送路４５ａには、共用搬送路３１と同様の搬送ローラ３３が、通帳Ｔの搬送方向に沿った方向に２つ、搬送方向の直交方向に２つ設けられており、各搬送ローラ３３は処理搬送路４５ａ内で搬送プレッシャローラ３３ｂが搬送フィードローラ３３ａを押圧した状態になっている。
【００４４】
４７ａは処理基準面であり、通帳情報の読取等を行う通帳Ｔを搬送する際の基準となる面であって、前記一対の搬送ガイドに直交して設けられている。また、処理基準面４７ａは、通帳情報処理部２９ａの通帳受渡位置に停止した移送部２５の共用基準面３４と面一になる位置に設けられている。
【００４５】
通帳情報処理部２９ｂは、通帳Ｔに貼付された磁気ストライプＳに磁気データで記録された通帳情報の読取り、書込みを行う磁気ヘッド２８ｅを備え、共用搬送路３１の搬送ガイド３１ａ、３１ｂと同様の機能を有する一対の搬送ガイド間の処理搬送路４５ｂにより搬送され、共用搬送路３１の磁気ヘッド２８ａ、２８ｂ、通帳情報処理部２９ａの磁気ヘッド２８ｃ、２８ｄでは読取ることができない、綴じ目と平行に貼付された磁気ストライプＳを有する通帳Ｔの通帳情報を読取る機能を有している。
【００４６】
このため、磁気ヘッド２８ｅは、図４に示す矢印方向、つまり通帳Ｔの搬送方向の直交方向へ移動可能に構成されている。このような移動可能な磁気ヘッド２８としては、例えば、特開平６−１８０９５４号公報に開示されたものを用いることができる。
本実施例では、磁気ヘッド２８ｅは、図６に示すタイプ５の通帳Ｔに貼付された磁気ストライプＳに対応する位置に配置され、通帳Ｔが読取位置に停止したときに矢印方向に移動して通帳情報の読取り、書込みを行う。
【００４７】
また、本実施例の処理搬送路４５ｂには、共用搬送路３１と同様の搬送ローラ３３が、通帳Ｔの搬送方向に沿った方向に２つ、搬送方向の直交方向に２つ設けられており、各搬送ローラ３３は処理搬送路４５ｂ内で搬送プレッシャローラ３３ｂが搬送フィードローラ３３ａを押圧した状態になっている。
【００４８】
４７ｂは処理基準面であり、通帳情報の読取等を行う通帳Ｔを搬送する際の基準となる面であって、前記一対の搬送ガイドに直交して設けられている。また、処理基準面４７ｂは、通帳情報処理部２９ｂの通帳受渡位置に停止した移送部２５の共用基準面３４と面一になる位置に設けられている。
【００４９】
通帳情報処理部２９ｃは、通帳Ｔに貼付された磁気ストライプＳに磁気データで記録された通帳情報の読取り、書込みを行う磁気ヘッド２８ｆを備え、共用搬送路３１の搬送ガイド３１ａ、３１ｂと同様の機能を有する一対の搬送ガイド間の処理搬送路４５ｃにより搬送され、通帳情報処理部２９ｂと同様に、綴じ目と平行に貼付された磁気ストライプＳを有する通帳Ｔの通帳情報を読取る機能を有している。
このため、磁気ヘッド２８ｆは、磁気ヘッド２８ｅと同様に、図４に示す矢印方向、つまり通帳Ｔの搬送方向の直交方向へ移動可能に構成されている。
【００５０】
本実施例では、磁気ヘッド２８ｆは、図６に示すタイプ６の通帳Ｔに貼付された磁気ストライプＳに対応する位置に配置され、通帳Ｔが読取位置に停止したときに矢印方向に移動して通帳情報の読取り、書込みを行う。
また、本実施例の処理搬送路４５ｃには、共用搬送路３１と同様の搬送ローラ３３が、通帳Ｔの搬送方向に沿った方向に２つ、搬送方向の直交方向に２つ設けられており、各搬送ローラ３３は処理搬送路４５ｃ内で搬送プレッシャローラ３３ｂが搬送フィードローラ３３ａを押圧した状態になっている。
【００５１】
４７ｃは処理基準面であり、通帳情報の読取等を行う通帳Ｔを搬送する際の基準となる面であって、前記一対の搬送ガイドに直交して設けられている。また、処理基準面４７ｃは、通帳情報処理部２９ｃの通帳受渡位置に停止した移送部２５の共用基準面３４と面一になる位置に設けられている。
【００５２】
なお、上記した各搬送ローラ３３の搬送フィードローラ３３ａは、図示しない複数のモータ等の駆動手段により回転し、各ユニットの搬送路１６内で通帳Ｔの搬送が可能なようになっており、移送部２５、印字部２６、ページ捲り部２７、通帳情報処理部２９ａ、２９ｂ、２９ｃのそれぞれの搬送路において、通帳Ｔは印字面を垂直にして各搬送路内を搬送される。
【００５３】
上記の各通帳情報処理部２９は、図６に示す各通帳Ｔの磁気ストライプＳの中で移送部２５の磁気ヘッド２８ａ、２８ｂでは対応できない各種磁気ストライプＳに対応するように移送部２５の通帳情報処理機能を拡張するために設けたものであるので、通帳情報処理部２９ａ、２９ｂ、２９ｃの全てが必要な訳ではなく、取扱う通帳Ｔの磁気ストライプＳの種類に応じて必要となる通帳情報処理部２９のみが搭載できるようになっており、例えば、通帳情報処理部２９ａのみ搭載し、通帳情報処理部２９ｂ、２９ｃは未搭載という構成も可能なようになっている。
【００５４】
また、本実施例では、図６に示す各タイプの磁気ストライプＳに対応するために移送部２４および各通帳情報処理部２９にそれぞれの磁気ストライプＳに対応する磁気ヘッド２８を搭載したが、前記各タイプ以外にも、磁気ストライプＳの形状が異なるものや２箇所貼付されたもの等が存在する場合には、その磁気ストライプＳに対応する磁気ヘッド２８を搭載した通帳情報処理部２９を配置すれば、前記各タイプ以外の磁気ストライプＳに対応することが可能な通帳プリンタ２とすることができる。
【００５５】
更に、上記した移送部２５および各通帳情報処理部２９に搭載する磁気ヘッド２８ａ〜２８ｄに対応する磁気ストライプＳは、一例であって本実施例の配置に限定されるものではない。
【００５６】
上記の現金自動預払機１の記憶部１３には、顧客が選択した取引の入力を受付け、これを基にホストコンピュータ６と交信して顧客との取引処理を自動で行う機能等を有する通常の取引処理プログラムと、図７を用いて説明する本実施例の通帳プリンタ２と連携して各金融機関の通帳Ｔによる通帳取引等の取引処理を行う機能を有するアプリケーションプログラム等からなる業務処理実行プログラムが予め格納されており、ＡＴＭ制御部１１が実行する業務処理実行プログラムのステップにより本実施例の現金自動預払機１の各機能手段が形成される。
【００５７】
また、記憶部１３には、取引が可能な各金融機関の金融機関情報としての金融機関名に対応させて、その通帳Ｔの磁気ストライプＳの記録方式やデータ構成、トラック数等の仕様、ページマークの位置や記述形式等の仕様等からなる仕様情報が予め格納され、カードおよび通帳Ｔの挿入を待っている所定の待ち時間である挿入待時間が予め設定されて格納されている。
【００５８】
通帳プリンタ２の記憶部２３には、現金自動預払機１からの指令により、通帳挿入口２４から挿入された通帳Ｔに対する通帳情報の読取りや書込み、記帳等の図８を用いて説明する通帳処理を実行する機能等を有する通帳業務実行プログラムが予め格納されており、プリンタ制御部２１が実行する通帳業務実行プログラムのステップにより本実施例の通帳プリンタ２の各機能手段が形成される。
【００５９】
また、記憶部２３には、取引が可能な各金融機関の金融機関名に対応させて、通帳Ｔの長さ、幅からなる形状情報、および当該通帳Ｔの磁気ストライプＳを読取る磁気ヘッド２８の搭載部位を記した搭載部位情報が予め格納され、通帳Ｔの挿入を待っている所定の待ち時間である挿入待時間が予め設定されて格納されている。本実施例では、この挿入待時間は現金自動預払機１の挿入待時間と同等の時間に設定されている。
【００６０】
ホストコンピュータ６には、本実施例の現金自動預払機１と交信して、当該ホストコンピュータ６が設置された金融機関の顧客の本人認証や通帳Ｔの正当性確認、顧客の口座の入出金等を管理する機能を有する通常の勘定方管理プログラムが予めインストールされており、ホストコンピュータ６が実行する勘定方管理プログラムのステップにより本実施例のホストコンピュータ６の各機能手段が形成される。
【００６１】
以下に、図７に示すフローチャートを用い、Ｓで示すステップに従って本実施例の現金自動預払機１の取引処理の処理動作について説明する。なお、本実施例の通帳プリンタ２による通帳処理の処理動作については図８を用いて後で詳述する。
【００６２】
始業時等に現金自動預払機１へ電源が投入されると、現金自動預払機１の記憶部１３に格納されている業務処理実行プログラムが自動的に起動され、現金自動預払機１のＡＴＭ制御部１１は、図示しない近接センサが顧客を検知するのを待つ来店待ち状態で待機し（図２参照）、近接センサが顧客を検知したときにステップＳ１へ移行する。
Ｓ１：顧客の来店を検知したＡＴＭ制御部１１は、表示部１４の表示画面に取引選択画面を表示し、顧客は、取引選択画面から希望する取引の選択入力（タッチパネルを入力手段とした入力）を行う。
【００６３】
この場合の取引選択画面には、紙幣のみによる取引が可能である旨と取引種別の取引選択ボタンの押下を促す旨の文言と出金取引のための「お引き出し」ボタンおよび入金取引のための「お預け入れ」ボタン、振込取引のための「お振り込み」ボタン、口座残高を照会する残高照会取引のための「残高照会」ボタン、通帳Ｔに未記帳の記帳データを印字する通帳記帳取引のための「通帳記帳」ボタン等の取引を選択するための取引選択ボタンが表示される。
【００６４】
Ｓ２：顧客が選択した取引種別の選択入力を受付けたＡＴＭ制御部１１は、表示部１４の表示画面に、取引種別に応じて、カード取扱部１６のカード挿入口１６ａへの取引カードの挿入や通帳プリンタ２の通帳挿入口２４への通帳Ｔの挿入を促す旨の文言等を表示した取引媒体挿入依頼画面を表示すると共に、通信部１２によりネットワーク４を介して通帳プリンタ２（図８のステップＳＡ１）へ、顧客との取引を開始した旨の取引開始通知を送信してステップＳ３へ移行する。
【００６５】
Ｓ３：ＡＴＭ制御部１１は、顧客がカード挿入口１６ａから挿入した取引カードの検知を待って待機し、取引カードの挿入を検知したときにステップＳ４へ移行する。取引カードの挿入を検知しない場合はステップＳ５へ移行する。この場合に、取引カードの挿入検知に代えて「カードなし」ボタンを表示し、顧客が「カードなし」ボタンを選択しなかったときはステップＳ４へ移行し、「カードなし」ボタンを選択したときはステップＳ５へ移行するようにしてもよい。
【００６６】
Ｓ４：顧客による取引カードの挿入を検知したＡＴＭ制御部１１は、カード取扱部１６によって取引カードに記録されている発行元の金融機関名、口座番号等のカード情報を読取り、読取ったカード情報を記憶部１３に保存してステップＳ５へ移行する。
【００６７】
Ｓ５：ＡＴＭ制御部１１は、通帳プリンタ２（図８のステップＳＡ４）からの通帳挿入通知の受信を待って待機し、通帳挿入通知を受信したときにステップＳ６へ移行する。通帳挿入通知を受信しない場合はステップＳ７へ移行する。この場合に、ステップＳ３と同様に、通帳の挿入検知に代えて「通帳なし」ボタンを表示し、顧客が「通帳なし」ボタンを選択しなかったときはステップＳ６へ移行し、「通帳なし」ボタンを選択したときはステップＳ７へ移行するようにしてもよい。
【００６８】
Ｓ６：通帳挿入通知を受信したＡＴＭ制御部１１は、当該取引が通帳Ｔを用いる取引であることを認識し、記憶部１３に通帳有情報を保存してステップＳ７へ移行する。
【００６９】
Ｓ７：ＡＴＭ制御部１１は、記憶部１３を確認し、カード情報および通帳有情報が保存されている場合、つまり取引カードおよび通帳Ｔの両方が挿入された場合は上記の待機を打切ってステップＳ９へ移行する。カード情報および通帳有情報のいずれか一方、または両方が保存されていない場合はステップＳ８へ移行する。なお、ステップＳ３で「カードなし」ボタンを表示した場合は、顧客が「カードなし」ボタンを選択し通帳有情報が保存されているとき、またはステップＳ５で「通帳なし」ボタンを表示した場合は、顧客が「通帳なし」ボタンを選択しカード情報が保存されているときに、上記の待機を打切ってステップＳ９へ移行し、顧客がいずれのボタンも選択せずカード情報および通帳有情報のいずれか一方、または両方が保存されていない場合はステップＳ８へ移行するようにする。
【００７０】
Ｓ８：ＡＴＭ制御部１１は、その時計機能により、ステップＳ２において取引開始通知を送信したときからの経過時間を計測しながら、記憶部１３に格納されている挿入待時間の経過を待って待機しており、取引カードまたは通帳Ｔが挿入されている場合であって、経過時間が挿入待時間以上のときはステップＳ９へ移行する。経過時間が挿入待時間未満の場合は、ステップＳ３、Ｓ５、Ｓ７、Ｓ８による待機を継続する。
なお、挿入待時間を経過しても、取引カードおよび通帳Ｔの両方が挿入されていない場合は、ＡＴＭ制御部１１は、選択された取引種別の取引処理を終了させて取引を打切り、来店待ち状態で待機する。
【００７１】
Ｓ９：ＡＴＭ制御部１１は、記憶部１３を確認し、通帳有情報が保存されている場合、つまり通帳Ｔが通帳プリンタ２に挿入されており、通帳Ｔへの記帳データの印字が必要な取引の場合はステップＳ１０へ移行する。通帳有情報が保存されていない場合、つまり取引カードのみを用いる入金取引、出金取引、振込取引等であって、通帳Ｔへの取引内容の記帳が不要な取引の場合はステップＳ１６へ移行する。
【００７２】
Ｓ１０：顧客が選択した取引種別が通帳Ｔを用いる取引であると認識したＡＴＭ制御部１１は、記憶部１３にカード情報が保存されている場合は、記憶部１３に保存されているカード情報から金融機関情報としての金融機関名を読取って、ステップＳ１２へ移行する。カード情報が保存されていない場合はステップＳ１１へ移行する。
【００７３】
Ｓ１１：カード情報が保存されていないことを認識したＡＴＭ制御部１１は、通帳プリンタ２に挿入された通帳Ｔの発行元の金融機関情報としての金融機関名を取得するために、表示部１４の表示画面に、挿入した通帳Ｔの金融機関名の入力を促す文言や金融機関名を選択するための先頭文字の平仮名表記からなる選択ボタン等を表示した金融機関名入力画面を表示し、顧客は、タッチパネルによって持参した通帳Ｔの金融機関名を選択等により入力する。
【００７４】
Ｓ１２：通帳プリンタ２に挿入された通帳Ｔの金融機関名を取得したＡＴＭ制御部１１は、その金融機関名を基に記憶部１３から当該金融機関名の仕様情報を読出し、通帳情報やページマークの読取、印字済み行の検出を指示する旨に当該金融機関名とその通帳Ｔの仕様情報等を添付した通帳情報等読取指令を生成し、これを通帳プリンタ２（図８のステップＳＡ５）へ送信してステップＳ１３へ移行する。
【００７５】
Ｓ１３：通帳情報等読取指令の送信後に、通帳プリンタ２（図８のステップＳＡ７）からの通帳情報やページマークの読取結果、印字済み行の検出結果の受信を待って待機していたＡＴＭ制御部１１は、通帳情報等を受信したときに受信した通帳情報等を記憶部１３に保存してステップＳ１４へ移行する。
Ｓ１４：通帳情報等を受信したＡＴＭ制御部１１は、顧客が選択した取引種別が通帳記帳取引である場合はステップＳ１５へ移行する。顧客が選択した取引が通帳記帳取引以外の場合、つまり通帳Ｔのみを用いた入金取引を含む他の取引の場合はステップＳ１６へ移行する。
【００７６】
Ｓ１５：顧客が選択した取引が通帳記帳取引であることを認識したＡＴＭ制御部１１は、通信部１２によって、取得した通帳情報またはカード情報から読取った金融機関名や口座番号等を基に、通信回線７を介して、当該金融機関名の金融機関のホストコンピュータ６と交信し、通帳プリンタ２に挿入された通帳Ｔに記帳する未記帳の記帳データを取得してステップＳ１８へ移行する。
【００７７】
この場合のホストコンピュータ６との交信処理は以下のように行われる。すなわち、ＡＴＭ制御部１１は、ステップＳ１３で受信した通帳Ｔの磁気ストライプＳに記録された通帳情報の口座番号等の読取結果と、ページマークの読取結果、印字済み行の検出結果を、通信回線７を介してホストコンピュータ６へ送信し、ホストコンピュータ６は、受信したページマークの読取結果、印字済み行の検出結果および口座番号等を基に当該通帳Ｔの正当性を確認し、その確認結果が正当である場合は、当該口座の前回記帳から今回の取引までの未記帳データを正当性の確認結果と共に現金自動預払機１へ送信する。
【００７８】
なお、正当性の確認結果が、不当である場合は、その旨が現金自動預払機１へ通知され、ＡＴＭ制御部１１は通帳Ｔが不当である旨を表示部１４の表示画面に表示して通帳プリンタ２へ通帳排出指令を送信し、通帳プリンタ２のプリンタ制御部２１は、取込んだ通帳Ｔを通帳挿入口２４から排出して顧客に返却する。
【００７９】
Ｓ１６：顧客が選択した取引種別が通帳Ｔのみを用いた入金取引、取引カードのみを用いた取引、通帳Ｔおよび取引カードの両方を用いた取引、つまり通帳記帳取引以外の取引であると認識したＡＴＭ制御部１１は、顧客が選択した前記取引種別の取引処理を通常通りに実行する。この場合の顧客の取引先である金融機関のホストコンピュータ６との交信処理を含む処理作動は、通常の場合と同様であるのでその説明を省略する。なお、通帳Ｔに対する正当性の確認は、上記と同様に行われる。
そして、ＡＴＭ制御部１１は、顧客の取引先である金融機関における顧客が選択した前記取引種別の処理動作を終えると、ステップＳ１７へ移行する。
【００８０】
Ｓ１７：顧客が選択した前記取引種別の処理動作を終えたＡＴＭ制御部１１は、記憶部１３に通帳有情報が保存されている場合、つまり通帳プリンタ２に挿入された通帳Ｔに取引内容等の記帳データを印字することが必要な場合はステップＳ１８へ移行する。記憶部１３に通帳有情報が保存されていない場合、つまり通帳プリンタ２に通帳Ｔが挿入されていない場合はステップＳ２０へ移行する。
【００８１】
Ｓ１８：通帳Ｔへの記帳データの印字が必要と認識したＡＴＭ制御部１１は、ステップＳ１５で取得した未記帳の記帳データ、またはステップＳ１６においてホストコンピュータ６との交信により取得した、前回記帳から今回の取引までの未記帳の記帳データが存在する場合はその記帳データと今回の取引内容等の記帳データを記帳情報として、通帳プリンタ２（図８のステップＳＡ８）へ送信してステップＳ１９へ移行する。
【００８２】
Ｓ１９：記帳情報の送信後に、通帳プリンタ２（図８のステップＳＡ１３）からの記帳終了通知の受信を待って待機していたＡＴＭ制御部１１は、記帳終了通知を受信したときにステップＳ２０へ移行する。記帳終了通知を受信しない場合は前記の待機を継続する。
【００８３】
Ｓ２０：ＡＴＭ制御部１１は、紙幣取扱部１７の紙幣入出金口１７ａに集積した紙幣の排出、カード取扱部１６に挿入された取引カードの排出、明細票の発行等の選択された取引種別における取引終了処理を実行し、顧客による排出物の受取りを確認して選択された取引の取引処理を終了させ、来店待ち状態で待機する。
この場合に、通帳プリンタ２に挿入された通帳Ｔは、通帳挿入口２４から排出される（図８のステップＳＡ１４）。
このようにして、本実施例の現金自動預払機１による取引処理が実行される。
【００８４】
以下に、図８に示すフローチャートを用い、ＳＡで示すステップに従って本実施例の通帳プリンタ２による通帳処理の処理動作について説明する。
本実施例の通帳プリンタ２に電源が投入されると、通帳プリンタ２のプリンタ制御部２１は通帳業務実行プログラムにより各部を初期状態として待機する。本実施例の初期状態は、通帳挿入口２４のシャッタは閉鎖状態、移送部２５は取込位置で停止、移送部２５の搬送ローラ３３の搬送プレッシャローラ３３ｂは共用搬送路３１から退避した状態になっている。
【００８５】
ＳＡ１：プリンタ制御部２１は、通信部２２によって、現金自動預払機１（図７のステップＳ２）からネットワーク４を介して送信された取引開始通知の受信を待って待機しており、取引開始通知を受信したときに通帳挿入口２４のシャッタを開放してステップＳＡ２へ移行する。このシャッタの開放により、通帳挿入口２４への通帳Ｔの挿入が可能になる。
【００８６】
ＳＡ２：通帳挿入口２４のシャッタを開放したプリンタ制御部２１は、挿入センサ２４ａが通帳挿入口２４から印字面を垂直にして、おもて表紙側から挿入される通帳Ｔの挿入方向の先端を検出するのを待って待機し、挿入センサ２４ａが通帳Ｔの先端を検出したときに前記の待機を打切ってステップＳＡ４へ移行する。挿入センサ２４ａが通帳Ｔの先端を検出しない場合はステップＳＡ３へ移行する。
【００８７】
ＳＡ３：プリンタ制御部２１は、その時計機能により、ステップＳＡ１においてシャッタを開放したときからの経過時間を計測しながら、記憶部２３に格納されている挿入待時間の経過を待って待機しており、経過時間が挿入待時間未満の場合は、ステップＳＡ２、ＳＡ３による待機を継続する。経過時間が挿入待時間以上の場合は、通帳挿入口２４のシャッタを閉鎖して今回の通帳処理を終了させ、ステップＳＡ１へ戻って現金自動預払機１からの取引開始通知の受信を待って待機する。
【００８８】
ＳＡ４：挿入された通帳Ｔの先端を検出したプリンタ制御部２１は、移送部２５の全ての搬送プレッシャローラ３３ｂを搬送フィードローラ３３ａに押付け、図示しない駆動手段により搬送フィードローラ３３ａを回転させて、通帳Ｔを移送部２５の共用搬送路３１内に取込んで通帳挿入口２４のシャッタを閉鎖し、図示しない幅寄せ機構により取込んだ通帳Ｔの下端を共用基準面３４に当接させて幅寄せし、搬送ローラ３３で幅寄せした通帳Ｔを挟持した状態で移送部２５を取込位置で待機させる。
【００８９】
この通帳挿入口２４から共通搬送路３１内への搬送のとき、プリンタ制御部２１は、通帳挿入口２４の挿入センサ２４ａおよび図示しない通帳幅検出センサにより、挿入された通帳Ｔの長さおよび幅等を測定し、記憶部２３に格納されている形状情報と比較して取扱い可能であるか否かを確認し、取扱い可能と確認された場合は、通帳Ｔが挿入された旨の通帳挿入通知を、現金自動預払機１（図７のステップ５）へ送信してステップＳＡ５へ移行する。
なお、取扱い不能の通帳Ｔが挿入された場合は、その旨を現金自動預払機１へ通知すると共に、通帳挿入口２４から当該通帳Ｔを排出して顧客に返却する。
【００９０】
ＳＡ５：挿入された通帳Ｔの取込後に、現金自動預払機１（図７のステップＳ１２）からの通帳情報等読取指令の受信を待って待機していたプリンタ制御部２１は、通帳情報等読取指令を受信したときに、通帳情報等読取指令に添付された金融機関名、仕様情報等を記憶部２３に保存してステップＳＡ６へ移行する。通帳情報等読取指令を受信しない場合は前記の待機を継続する。
【００９１】
ＳＡ６：通帳情報等読取指令を受信したプリンタ制御部２１は、通帳情報等の読取処理を行う。
すなわち、プリンタ制御部２１は、通帳情報等読取指令の金融機関情報としての金融機関名を基に、記憶部２３の搭載部位情報から当該金融機関の通帳Ｔの磁気ストライプ２の通帳情報を読取る磁気ヘッド２８の搭載部位を読出して、当該通帳Ｔの通帳情報を読取る磁気ヘッド２８の搭載部位を特定する。
【００９２】
そして、特定した搭載部位が、移送部２５の場合、つまり移送部２５内に搭載された磁気ヘッド２８ａ（図６のタイプ１の通帳Ｔ）または磁気ヘッド２８ｂ（タイプ２）による通帳情報の読取を行う場合は、プリンタ制御部２１は、取込位置で待機している移送部２５の搬送ローラ３３によって取込んだ通帳Ｔを印字部２６の方向（Ｒ方向）へ搬送して、取込位置と同じ高さに設けられている印字部２６の搬送ローラ３３に引渡す。
【００９３】
このとき、プリンタ制御部２１は、通帳情報等読取指令の仕様情報を基に、取込んだ通帳のおもて表紙側に位置している磁気ヘッド２８ａまたは２８ｂにより共通搬送路３１内をＲ方向に搬送されている通帳Ｔの磁気ストライプＳから通帳情報を読取ると共に、印字部２６の搬送ローラ３３により印字搬送路３６内をＲ方向に搬送されている通帳Ｔの印字面から、ページセンサ３７によってページマークの読取および印字済み行の検出を行い、当該通帳Ｔを印字位置まで搬送して停止させる。
【００９４】
このようにして、移送部２５の磁気ヘッド２８ａまたは２８ｂによるタイプ１またはタイプ２の通帳Ｔの通帳情報の読取、並びに印字部２６のページセンサ３７によるページマークの読取および印字済み行の検出が行われる。
【００９５】
通帳情報を読取る磁気ヘッド２８の搭載部位が、通帳情報処理部２９ａの場合、つまり通帳情報処理部２９ａ内に搭載された磁気ヘッド２８ｃ（図６のタイプ４の通帳Ｔ）または磁気ヘッド２８ｄ（タイプ３）による通帳情報の読取を行う場合は、プリンタ制御部２１は、取込位置で待機している当該通帳Ｔを取込んだ移送部２５をＬ方向へ移動させて通帳情報処理部２９ａとの通帳受渡位置に停止させ、移送部２５の搬送ローラ３３によって取込んだ通帳Ｔを通帳情報処理部２９ａの方向（Ｒ方向）へ搬送して、通帳情報処理部２９ａの処理搬送路４５ａの搬送ローラ３３へ引渡し、通帳情報等読取指令の仕様情報を基に、磁気ヘッド２８ｃまたは２８ｄにより処理搬送路４５ａ内をＲ方向に搬送されている通帳Ｔの磁気ストライプＳから通帳情報を読取る。
【００９６】
そして、通帳情報を読取った通帳Ｔを通帳情報処理部２９ａから、移送部２５の共用搬送路３１内へ搬送して通帳Ｔを移送部２５へ引渡し、その移送部２５を取込位置へ移動させて停止させ、移送部２５内の通帳Ｔを印字部２６へ引渡して印字位置に停止させる。
この印字部２６の印字搬送路３６による通帳ＴのＲ方向への搬送中に、プリンタ制御部２１は、通帳Ｔの印字面から、上記と同様にしてページセンサ３７によるページマークの読取および印字済み行の検出を行う。
【００９７】
通帳情報を読取る磁気ヘッド２８の搭載部位が、通帳情報処理部２９ｂの場合、つまり通帳情報処理部２９ｂ内に搭載された磁気ヘッド２８ｅ（図６のタイプ５の通帳Ｔ）による通帳情報の読取を行う場合は、プリンタ制御部２１は、取込位置で待機している当該通帳Ｔを取込んだ移送部２５を、通帳情報処理部２９ｂとの通帳受渡位置へ移動させて停止させ、上記通帳情報処理部２９ａの場合と同様にして、取込んだ通帳Ｔを移送部２５から通帳情報処理部２９ｂの処理搬送路４５ｂへ引渡し、通帳Ｔを処理搬送路４５ｂの通帳情報読取位置に停止させ、通帳情報等読取指令の仕様情報を基に、磁気ヘッド２８ｅを搬送方向の直交方向に移動させ、その磁気ヘッド２８ｅの移動中に通帳Ｔの磁気ストライプＳから通帳情報を読取る。その後の印字部２６のページセンサ３７によるページマークの読取等の処理動作は、上記通帳情報処理部２９ａの場合と同様である。
【００９８】
また、通帳情報を読取る磁気ヘッド２８の搭載部位が、通帳情報処理部２９ｃの場合は、通帳情報処理部２９ｂの場合と同様であるので、その説明を省略する。
ＳＡ７：通帳プリンタ２に挿入された通帳Ｔの通帳情報の読取等を終えたプリンタ制御部２１は、通帳Ｔの通帳情報の読取結果、ページマークの読取結果および印字済み行の検出結果を、現金自動預払機１（図７のステップＳ１３）へ送信してステップＳＡ８へ移行する。
【００９９】
ＳＡ８：通帳情報等の送信後に、現金自動預払機１（図７のステップＳ１８）からの記帳情報の受信を待って待機していたプリンタ制御部２１は、記帳情報を受信したときにステップＳＡ９へ移行する。記帳情報を受信しない場合は前記の待機を継続する。
ＳＡ９：記帳情報を受信したプリンタ制御部２１は、受信した記帳情報を基に、印字部２６の印字ヘッド２６ａによって印字位置に停止している通帳Ｔの印字面への未記帳の記帳データまたは取引内容等の記帳データの印字を行う印字処理を実行する。
【０１００】
ＳＡ１０：プリンタ制御部２１は、ステップＳＡ９による通帳Ｔへの印字処理との並行処理により、通帳Ｔの当該ページにおける印字可能範囲の終了を監視しており、未印字の記帳データが残っており、かつ印字可能範囲が終了した場合はページ捲りが必要と判定してステップＳＡ１１へ移行する。未印字の記帳データが残っており、かつ印字可能範囲が残っている場合はステップＳＡ１２へ移行する。
【０１０１】
ＳＡ１１：通帳Ｔのページ捲りが必要と判定したプリンタ制御部２１は、通帳Ｔを搬送ローラ３３により印字部２６からＦ方向に搬送して取込位置に停止している移送部２５へ引渡し、移送部２５をＬ方向へ移動させてページ捲り部２７との通帳受渡位置に停止させ、当該通帳Ｔを搬送ローラ３３によりＲ方向に搬送して共用搬送路３１から捲り搬送路４０の搬送ローラ３３へ引渡し、ページ捲り部２７によって通帳Ｔのページ捲りを行う。この場合のページ捲りの動作については、特開平１０−８６５５３や特開２０００−２９３７３５等に開示されている動作と同様であり、本発明には直接関係しないため説明は省略する。
【０１０２】
そして、ページ捲りが終了すると、プリンタ制御部２１は、ページ捲りを終えた通帳Ｔを、Ｆ方向に搬送してページ捲り部２７からその位置に停止している移送部２５へ引渡し、移送部２５をＵ方向へ移動させて取込位置に停止させ、印字部２６の印字搬送路３６に引渡し、ページセンサ２４によりページマークの読取りを行って正しいページが聞かれたか否かを確認し、正しいページが開かれていた場合は、当該通帳Ｔを印字位置まで搬送して未印字の記帳データの印字を行いながらステップＳＡ１２へ移行する。
なお、正しいページが開かれていなかった場合は、正しいページになるように、上記と同様にして捲り直し（リトライ）を行う。
【０１０３】
ＳＡ１２：プリンタ制御部２１は、ステップＳＡ９による通帳Ｔへの印字処理との並行処理により、印字処理の終了を監視しており、印字処理が終了した場合はステップＳＡ１３へ移行する。印字処理が終了していない場合は、ステップＳＡ９へ戻って、ステップＳＡ１０、ＳＡ１２による監視を継続しながら印字処理を継続する。
ＳＡ１３：印字処理の終了を認識したプリンタ制御部２１は、現金自動預払機１（図７のステップＳ１９）へ記帳を終了した旨の記帳終了通知を送信してステップＳＡ１２へ移行する。
【０１０４】
なお、通帳Ｔを発行した金融機関によっては、通帳Ｔの磁気ストライプＳの通帳情報の更新処理を行う場合があるが、この場合は、ステップＳＡ６で説明した磁気ストライプＳからの通帳情報の読取処理の処理動作と同様にして、記憶部２３に保存されている通帳情報等読取指令に添付された金融機関名、仕様情報等を基に、磁気ストライプＳへの通帳情報の更新内容の書込処理を行い、通帳情報処理部２９により書込処理を行った場合は、移送部２５を当該通帳情報処理部２９から移動させて取込位置に停止させたときに、記帳終了通知を送信するようにするとよい。
【０１０５】
ＳＡ１４：記帳終了通知の送信と並行してプリンタ制御部２１は、記帳を終えた通帳Ｔを、搬送ローラ３３により印字部２６から取込位置に停止している移送部２５へ引渡して通帳挿入口２４のシャッタを開放し、移送部２５の搬送ローラ３３により排出方向（Ｆ方向）へ搬送して挿入センサ２４ａが通帳Ｔの排出方向の先端を検出し所定の距離搬送した後に搬送ローラ３３を停止して通帳挿入口２４から通帳Ｔを排出し、挿入センサ２４ａによって顧客による通帳Ｔの受取りを確認してシャッタを閉鎖し、今回の通帳処理を終了させ、ステップＳＡ１へ戻って現金自動預払機１からの取引開始通知の受信を待って待機する。
【０１０６】
このようにして、本実施例の通帳プリンタ２による各金融機関の通帳Ｔを処理する通帳処理の処理動作が行われる。
上記のように、本実施例では、取引が可能な各金融機関の通帳Ｔを、印字面を垂直にして通帳プリンタ２へ挿入し、当該通帳の磁気ストライプＳの読取、ページマークの読取、通帳Ｔへの記帳、ページ捲り等の各処理を通帳プリンタ２の上下方向（垂直方向）に重ねて配置した各部によって行うようにしたので、通帳プリンタ２の奥行寸法および水平方向の幅寸法を小さくして、通帳プリンタ２の設置スペースを少なくすることができる。
【０１０７】
これにより、コンビニエンスストア等の設置スペースに制限がある店舗でも、複数の金融機関の通帳Ｔを用いた取引処理を可能にした現金自動預払機１を設置することができ、コンビニＡＴＭ等を利用する顧客の利便性を向上させることができる。
また、本実施例では、通帳プリンタ２の移送部２５に２つの磁気ヘッド２８ａ、２８ｂを搭載したので、拡張する通帳情報処理部２９の数を減少させて、通帳プリンタ２の簡素化を図ることができる。
【０１０８】
更に、本実施例では、移送部２５の磁気ヘッド２８ａ、２８ｂを、取込んだ通帳Ｔのおもて表紙側に配置したので、通帳挿入口２５にシャッタを設けた場合であっても、通帳Ｔの移送部２５から印字部２６への搬送時および印字部２６から移送部２５への搬送時に、裏表紙に貼付された磁気ストライプＳに対する通帳情報の読取り、書込みを容易に行うことができる。
【０１０９】
更に、本実施例では、移送部２の共用搬送路３１の搬送ガイド３１ａ、３１ｂのガイド面が、垂直方向に配置されているので、通帳Ｔを移送部２５に取込んだ後に、搬送ローラ３３による挟持を解除すれば、落下する通帳Ｔの下端を自重により共用基準面３４に当接させて幅寄せすることができ、幅寄せ機構を省略することが可能になる。
【０１１０】
なお、本実施例では、通帳挿入口２４にシャッタを設けた場合を例に説明したが、シャッタを設けない場合には、通帳プリンタ２が、現金自動預払機１からの取引開始通知を受信していない状態（待機時等）で、通帳Ｔが挿入された場合は、通帳プリンタ２から現金自動預払機１へ通帳挿入通知を送信し、現金自動預払機１が取引の選択を誘導する、通帳プリンタ２に対して通帳Ｔの返却を指令する等、予め設定された所定の動作を行うようにするとよい。
【０１１１】
また、本実施例では、通帳プリンタ２を現金自動預払機１の側面に配置するとして説明したが、側面以外の場所に設置するようにしてもよい。
また、本実施例の通帳プリンタ２を現金自動預払機１内に組込むようにしてもよい。このようにすれば、現金自動預払機１の奥行寸法を小さくして現金自動預払機１の小型化を測ることができる。
【０１１２】
以上説明したように、本実施例では、通帳の磁気ストライプＳに記録された通帳情報を処理する２つの磁気ヘッドを有し、通帳挿入口から印字面を垂直にして挿入された、取引が可能な金融機関の複数種類の通帳Ｔを取込むと共に当該通帳Ｔを処理後に通帳挿入口から排出する機能を有し、取込んだ通帳Ｔを挿入方向の直交方向である上下方向に移送する移送部と、移送部から引渡された通帳Ｔの印字面に印字を行う印字部と、移送部から引渡された通帳Ｔのページ捲りを行うページ捲り部と、移送部から引渡された通帳Ｔの通帳情報を処理する少なくとも一つの磁気ヘッドを有する少なくとも一つの通帳情報処理部とを備え、その印字部を移送部の通帳Ｔの挿入方向の前方に配置し、ページ捲り部と通帳情報処理部とを印字部の下方に並べて直列に配置した通帳プリンタと、取引が可能な各金融機関のホストコンピュータに接続し取引カードのみを用いて顧客との取引を行う現金自動預払機とを接続して自動取引システムを構成したので、奥行寸法および水平方向の幅寸法を小さくして設置スペースを少なくした通帳プリンタを現金自動預払機の側面等に配置することができ、設置スペースに制限がある店舗であっても、複数の金融機関の通帳Ｔを用いた取引処理を可能にした現金自動預払機を設置することができ、当該店舗を利用する顧客の利便性を向上させることができる。
【実施例２】
【０１１３】
以下に、図９ないし図１３を用いて本実施例の通帳プリンタについて説明する。なお、上記実施例１と同様の部分は、同一の符号を付してその説明を省略する。
本実施例の通帳プリンタ２には、図９、図１０に示すように、表示部５１およびキー入力部５２を備え、プリンタ制御部２１は通信部２２によってホストコンピュータ６と直接交信可能に接続されている。これにより、本実施例の通帳プリンタ２は、独立して設置することが可能となり、単独での通帳Ｔの通帳記帳取引が可能となる。
【０１１４】
また、本実施例の通帳プリンタ２は、図１０（ａ）に示すように、通帳挿入口２４から印字面を水平にして、おもて表紙側から挿入するように構成され、移送部２５、印字部２６、ページ捲り部２７、各通帳情報処理部２９の構成は上記実施例１と同様であるが、図１１、図１２に示すように、共用搬送路３１、印字搬送路３６、捲り搬送路４０、各処理搬送路４５は、通帳Ｔの印字面を水平にして搬送するように設置されている。
【０１１５】
通帳プリンタ２の表示部５１は、ＬＣＤ等の表示画面等を備えており、取引案内画面や金融機関名入力画面、入力結果等を表示する機能を有している。
通帳プリンタ２のキー入力部５２は、テンキーや各種の入力を行うための入力キーを備えており、顧客による選択入力や指示入力等を受付ける機能を有している。
本実施例の入力手段はキー入力部５２により構成される。なお、入力手段を表示部５１に設けたタッチパネルとして、キー入力部５２を省略するようにしてもよい。
【０１１６】
上記の構成により、本実施例の通帳プリンタ２は、キー入力部５２で選択入力された金融機関情報としての金融機関名を基に、通帳挿入口２４から印字面を水平にして、おもて表紙側から挿入された通帳Ｔを取込んで挿入方向の直交方向である上下方向（垂直方向）に移送する移送部２５、移送部２５から引渡された通帳Ｔの印字面に印字を行う印字部２６、通帳Ｔ等の冊子状媒体の改ページが必要となった場合にページ捲りを行うページ捲り部２７、各金融機関の通帳Ｔに貼付された各種の磁気ストライプＳに対応する磁気ヘッド２８を装備した３つの通帳情報処理部２９等を備え、通帳挿入口２４から挿入された通帳Ｔを移送部２５で取込み、その通帳Ｔの種類（本実施例では、図６に示すタイプ１〜６の６種類）に応じて移送部２５により対応する通帳情報処理部２９へ移送して通帳情報の読取処理を行い、通帳情報の読取後に、移送部２５により印字部２６へ移送して印字処理を行い、印字後の通帳Ｔを移送部２５へ引渡して通帳挿入口２４から排出するように構成されており、金融機関のＡＴＭコーナや無人ブース等に、通帳挿入口２４を正面側に向けて設置されている。
【０１１７】
また、本実施例の印字部２６は、図１１に示すように、通帳プリンタ２の上部に配置された通帳挿入口２４と同等の高さに設けられ、ページ捲り部２７および各通帳情報処理部２９の各搬送路は、印字部２６の印字搬送路３６の搬送ガイド３６ａ等のガイド面と平行となるように、その下方に並べて直列に配置されている。
【０１１８】
本実施例の通帳プリンタ２の記憶部２３には、入力された金融機関名を基に、通帳挿入口２４から挿入された通帳Ｔに対する通帳情報の読取や書込、記帳等の図１３を用いて説明する通帳処理を実行する機能等を有する通帳業務実行プログラムが予め格納されており、プリンタ制御部２１が実行する通帳業務実行プログラムのステップにより本実施例の通帳プリンタ２の各機能手段が形成される。
【０１１９】
また、記憶部２３には、上記実施例１では現金自動預払機１の記憶部２３に格納されていた、取引が可能な各金融機関の金融機関名に対応させて、その通帳Ｔの磁気ストライプＳの仕様、ページマークの仕様等からなる仕様情報が予め格納される他、上記実施例１の記憶部２３と同様の、磁気ヘッド２８の搭載部位情報が予め格納され、通帳Ｔの挿入待時間が予め設定されて格納されている。
【０１２０】
本実施例のホストコンピュータ６には、本実施例の通帳プリンタ２と交信して、当該ホストコンピュータ６が設置された金融機関の顧客の本人認証や通帳Ｔの正当性確認、顧客の口座の入出金等を管理する機能を有する通常の勘定方管理プログラムが予めインストールされており、ホストコンピュータ６が実行する勘定方管理プログラムのステップにより本実施例のホストコンピュータ６の各機能手段が形成される。
【０１２１】
以下に、図１３に示すフローチャートを用い、ＳＢで示すステップに従って本実施例の通帳プリンタ２による通帳処理の処理動作について説明する。
本実施例の通帳プリンタ２に電源が投入されると、通帳プリンタ２１は、通帳業務実行プログラムにより、各部を初期状態として、表示部５１の表示画面に、取扱い可能な金融機関名の通帳Ｔを用いた通帳記帳取引が可能である旨の文言と取引開始の操作方法等を表示した取引案内画面を表示して待機する。本実施例の初期状態は、上記実施例１の場合と同様に、通帳挿入口２４のシャッタは閉鎖状態、移送部２５は取込位置で停止、移送部２５の搬送ローラ３３の搬送プレッシャローラ３３ｂは共用搬送路３１から退避した状態になっている。
【０１２２】
ＳＢ１：顧客が表示部５１に表示された取引開始の操作方法に従って、キー入力部５２の「取引開始」キーを押下すると、この押下を待って待機していたプリンタ制御部２１は、表示部５１の表示画面に、取扱い可能な金融機関名とそれを選択するために番号等を表示した金融機関名入力画面を表示し、顧客は、キー入力部５２のテンキーによって持参した通帳Ｔの金融機関名の番号に相当する数字を入力する。
【０１２３】
ＳＢ２：入力された数字により金融機関情報としての金融機関名を認識したプリンタ制御部２１は、その金融機関名を基に記憶部２３から当該金融機関名の仕様情報を読出して記憶部２３に保存し、通帳挿入口２４のシャッタを開放してステップＳＢ３へ移行する。
【０１２４】
ＳＢ３：通帳挿入口２４のシャッタを開放したプリンタ制御部２１は、挿入センサ２４ａが通帳挿入口２４から印字面を水平にして、おもて表紙側から挿入される通帳Ｔの挿入方向の先端を検出するのを待って待機し、挿入センサ２４ａが通帳Ｔの先端を検出したときに前記の待機を打切ってステップＳＢ５へ移行する。挿入センサ２４ａが通帳Ｔの先端を検出しない場合はステップＳＢ４へ移行する。
【０１２５】
ＳＢ４：プリンタ制御部２１は、その時計機能により、ステップＳＢ２においてシャッタを開放したときからの経過時間を計測しながら、記憶部２３に格納されている挿入待時間の経過を待って待機しており、経過時間が挿入待時間未満の場合は、ステップＳＢ３、ＳＢ４による待機を継続する。経過時間が挿入待時間以上の場合は、通帳挿入口２４のシャッタを閉鎖して、今回の通帳処理を終了させ、ステップＳＢ１へ戻って取引案内画面を表示しながら「取引開始」キーの押下を待って待機する。
【０１２６】
ＳＢ５：挿入された通帳Ｔの先端を検出したプリンタ制御部２１は、上記実施例１のステップＳＡ４と同様にして、取込んだ通帳Ｔを幅寄せし、搬送ローラ３３で幅寄せした通帳Ｔを挟持した状態で移送部２５を取込位置で待機させる。
【０１２７】
この通帳挿入口２４から共通搬送路３１内への搬送のとき、プリンタ制御部２１は、上記実施例１のステップＳＡ４と同様にして、挿入された通帳Ｔの長さおよび幅等を測定し、記憶部２３に格納されている形状情報と比較して取扱い可能であるか否かを確認し、取扱い可能と確認された場合は、ステップＳＢ６へ移行する。
なお、取扱い不能の通帳Ｔが挿入された場合は、通帳挿入口２４から当該通帳Ｔを排出して顧客に返却する。
【０１２８】
ＳＢ６：挿入された通帳Ｔを取込んだプリンタ制御部２１は、入力された金融機関名を基に、記憶部２３の搭載部位情報から当該通帳Ｔの磁気ストライプ２の通帳情報を読取る磁気ヘッド２８の搭載部位を読出して、当該通帳Ｔの通帳情報を読取る磁気ヘッド２８の搭載部位を特定し、上記実施例１のステップＳＡ６と同様にして、当該通帳Ｔの通帳情報の読取処理を行い、印字部２６のページセンサ３７により当該通帳Ｔの印字面からのページマークの読取および印字済み行の検出後に、印字位置まで搬送して停止させる。
このとき、プリンタ制御部２１は、読取った通帳情報を記憶部２３に保存する。
【０１２９】
ＳＢ７：通帳プリンタ２に挿入された通帳Ｔの通帳情報の読取等を終えたプリンタ制御部２１は、通信部２２によって、読取った通帳情報の金融機関名や口座番号等を基に、通信回線７を介して、当該金融機関のホストコンピュータ６と交信し、通帳プリンタ２に挿入された通帳Ｔに記帳する未記帳の記帳データを取得し、これを記帳情報として記憶部２３に保存してステップＳＢ８へ移行する。
この場合のホストコンピュータ６における通帳Ｔの正当性確認等の交信処理の処理動作は、上記実施例１のステップＳ１５と同様であるので、その説明を省略する。
【０１３０】
ＳＢ８：記帳情報を取得したプリンタ制御部２１は、取得した記帳情報を基に、印字部２６の印字ヘッド２６ａによって印字位置に停止している通帳Ｔの印字面への未記帳の記帳データの印字を行う印字処理を実行する。
【０１３１】
ＳＢ９：プリンタ制御部２１は、ステップＳＢ８による通帳Ｔへの印字処理との並行処理により、通帳Ｔの当該ページにおける印字可能範囲の終了を監視しており、未印字の記帳データが残っており、かつ印字可能範囲が終了した場合はページ捲りが必要と判定してステップＳＢ１０へ移行する。未印字の記帳データが残っており、かつ印字可能範囲が残っている場合はステップＳＢ１１へ移行する。
【０１３２】
ＳＢ１０：通帳Ｔのページ捲りが必要と判定したプリンタ制御部２１は、上記実施例１のステップＳＡ１１と同様にして、通帳Ｔのページ捲りを実行し、ステップＳＢ１１へ移行する。
ＳＢ１１：プリンタ制御部２１は、ステップＳＢ８による通帳Ｔへの印字処理との並行処理により、印字処理の終了を監視しており、印字処理が終了した場合はステップＳＢ１２へ移行する。印字処理が終了していない場合は、ステップＳＢ８へ戻って、ステップＳＢ９、ＳＢ１１による監視を継続しながら、印字処理を継続する。
【０１３３】
ＳＢ１２：印字処理の終了を認識したプリンタ制御部２１は、記帳を終えた通帳Ｔを、搬送ローラ３３により印字部２６から取込位置に停止している移送部２５へ引渡して通帳挿入口２４のシャッタを開放し、移送部２５の搬送ローラ３３により排出方向（Ｆ方向）へ搬送して挿入センサ２４ａが通帳Ｔの排出方向の先端を検出し所定の距離搬送した後に搬送ローラ３３を停止して通帳挿入口２４から通帳Ｔを排出し、挿入センサ２４ａによって顧客による通帳Ｔの受取りを確認してシャッタを閉鎖し、今回の通帳処理を終了させ、ステップＳＢ１へ戻って取引案内画面を表示しながら「取引開始」キーの押下を待って待機する。
【０１３４】
なお、通帳Ｔを発行した金融機関によっては、通帳Ｔの磁気ストライプＳの通帳情報の更新処理を行う場合があるが、この場合は、ステップＳＢ６で説明した磁気ストライプＳからの通帳情報の読取処理の処理動作と同様にして、記憶部２３に保存した通帳情報の金融機関名、仕様情報等を基に、磁気ストライプＳへの通帳情報の更新内容の書込処理を行い、通帳情報処理部２９により書込処理を行った場合は、移送部２５を当該通帳情報処理部２９から移動させて取込位置に停止させたときに、上記ステップＳＢ１２の処理動作を行うようにするとよい。
【０１３５】
このようにして、本実施例の通帳プリンタ２による各金融機関の通帳Ｔに未記帳の記帳データを印字する通帳処理の処理動作が行われる。
上記のように、本実施例では、取引が可能な各金融機関の通帳Ｔを、印字面を水平にして通帳プリンタ２へ挿入し、当該通帳の磁気ストライプＳの読取、ページマークの読取、通帳Ｔへの記帳、ページ捲り等の各処理を通帳プリンタ２の上下方向（垂直方向）に重ねて配置した各部によって行うようにしたので、通帳プリンタ２の奥行寸法を小さくして、通帳プリンタ２の設置スペースを少なくすることができる。
【０１３６】
また、通帳プリンタ２が表示部５１とキー入力部５２を備え、プリンタ制御部２１が通信部２２により現金自動預払機１を介さずにホストコンピュータ６に直接接続できるため、通帳プリンタ２は、独立して設置が可能となり単独での処理が可能となる。
これにより、現金自動預払機１が設置されていない場所でも、複数の金融機関の磁気ストライプＳに対応して各通帳Ｔの処理ができるため、顧客の利便性を向上させることができる。
【０１３７】
また、顧客が通常の現金自動預払機１で通帳記帳取引を行う場合、未記帳の記帳データが多いと処理時間がかかるが、通常の現金自動預払機１が１台しか設置されない郵便局等のような小型店舗に本実施例の通帳プリンタ２を設置することで、通帳Ｔの記帳のみの顧客の待ち時間を減少させることができる。
【０１３８】
更に、複数の金融機関の磁気ストライプＳに対応して各通帳Ｔの処理ができるため、例えば金融機関の本支店以外で、代理店業務を受託している業者の店舗等の場合に、１箇所の代理店で複数の金融機関の業務を受託して取扱うことができ、顧客の利便性が更に向上するという効果も得られる。
【０１３９】
更に、本実施例では、通帳プリンタ２の移送部２５に２つの磁気ヘッド２８ａ、２８ｂを搭載したので、拡張する通帳情報処理部２９の数を減少させて、通帳プリンタ２の簡素化を図ることができる。
【０１４０】
更に、本実施例では、移送部２５の磁気ヘッド２８ａ、２８ｂを、取込んだ通帳Ｔのおもて表紙側に配置したので、通帳挿入口２５にシャッタを設けた場合であっても、通帳Ｔの移送部２５から印字部２６への搬送時および印字部２６から移送部２５への搬送時に、裏表紙に貼付された磁気ストライプＳに対する通帳情報の読取り、書込みを容易に行うことができる。
【０１４１】
以上説明したように、本実施例では、通帳挿入口から挿入された通帳Ｔを、処理後に通帳挿入口から排出する通帳プリンタに、通帳の磁気ストライプＳに記録された通帳情報を処理する２つの磁気ヘッドを有し、通帳挿入口から挿入された通帳Ｔを取込み、その通帳を挿入方向の直交方向である上下方向に移送する移送部と、移送部から引渡された通帳Ｔの印字面に印字を行う印字部と、移送部から引渡された通帳Ｔのページ捲りを行うページ捲り部と、移送部から引渡された通帳Ｔの通帳情報を処理する少なくとも一つの磁気ヘッドを有する少なくとも一つの通帳情報処理部とを設け、その印字部を移送部の通帳Ｔの挿入方向の前方に配置し、ページ捲り部と通帳情報処理部とを印字部の下方に並べて直列に配置したので、取引が可能な金融機関の複数種類の通帳Ｔの取扱が可能になると共に通帳プリンタの奥行寸法を小さくして、通帳プリンタの設置スペースを少なくすることができる。
【実施例３】
【０１４２】
以下に、図１４ないし図１６を用いて本実施例の通帳プリンタについて説明する。なお、上記実施例２と同様の部分は、同一の符号を付してその説明を省略する。
本実施例の通帳プリンタ２には、図１４、図１５に示すように、実施例２の通帳情報処理部２９ｃに替えて新媒体収納部としての新通帳収納部５５が、印字部２６の下方に並べて直列に配置されている。
【０１４３】
新通帳収納部５５は、図１５に示すように、図示しない駆動手段により回転して通帳Ｔを通帳搬送路５６へ繰出す繰出ローラ５７および搬送ローラ３３等を備えており、新通帳収納部５５との通帳受渡位置に停止した移送部２５へ、新たに発行する通帳Ｔ（新通帳という。新通帳の発行前に用いていた通帳Ｔを旧通帳という。）を搬送する機能を有している。
【０１４４】
また、新通帳収納部５５内には、閉じた状態の複数冊の新通帳が斜めに重ねて収納されており、その最上位の新通帳は図示しないスプリング等により繰出ローラ５７に所定の荷重で押付けられている。
このような新通帳収納部５５の構成としては、例えば、特開２００１−４３４２７公報に開示された構成を用いることができる。
これにより、本実施例の通帳プリンタ２は、新通帳の発行処理が可能となる。
【０１４５】
本実施例の通帳プリンタ２の記憶部２３には、入力された金融機関名を基に、通帳挿入口２４から挿入された通帳Ｔに対する通帳情報の読取や書込、記帳、新通帳の発行等の図１６を用いて説明する通帳処理を実行する機能等を有する通帳業務実行プログラムが予め格納されており、プリンタ制御部２１が実行する通帳業務実行プログラムのステップにより本実施例の通帳プリンタ２の各機能手段が形成される。
【０１４６】
また、記憶部２３には、上記実施例２と同様の、取引が可能な各金融機関の通帳Ｔの磁気ストライプＳの仕様、ページマークの仕様等からなる仕様情報が予め格納される他、上記実施例１の記憶部２３と同様の、各金融機関の通帳Ｔの形状情報、磁気ヘッド２８の搭載部位情報が予め格納され、通帳Ｔの挿入待時間が予め設定されて格納されている。
更に、記憶部２３には、各金融機関の通帳のおもて表紙および／もしくは見返しに印字する店番号や口座番号等の必要事項の印字位置および字体とそのポイント数等からなる表紙印字情報が、金融機関名に対応させて予め格納されている。
【０１４７】
本実施例のホストコンピュータ６には、本実施例の通帳プリンタ２と交信して、当該ホストコンピュータ６が設置された金融機関の顧客の本人認証や通帳Ｔの正当性確認、顧客の口座の入出金等を管理する機能を有する通常の勘定方管理プログラムが予めインストールされており、ホストコンピュータ６が実行する勘定方管理プログラムのステップにより本実施例のホストコンピュータ６の各機能手段が形成される。
【０１４８】
以下に、図１６に示すフローチャートを用い、ＳＣで示すステップに従って本実施例の通帳プリンタ２による通帳処理の処理動作について説明する。
本実施例のステップＳＣ１〜ＳＣ１０の処理動作は、上記実施例２のステップＳＢ１〜ＳＢ１０の処理動作と同様であるので、その説明を省略する。
【０１４９】
ＳＣ１１：プリンタ制御部２１は、ステップＳＣ８による通帳Ｔへの印字処理との並行処理により、通帳Ｔの最終ページにおける印字可能範囲の終了を監視しており、未印字の記帳データが残っており、かつ最終ページの印字可能範囲が終了した場合は継続使用する新通帳の発行が必要と判定してステップＳＣ１２へ移行する。未印字の記帳データが残っており、かつ印字可能範囲が残っている場合はステップＳＣ１３へ移行する。
【０１５０】
ＳＣ１２：継続使用する新通帳の発行が必要と判定したプリンタ制御部２１は、新通帳の発行処理を実行し、実行後にステップＳＣ１３へ移行する。
すなわち、プリンタ制御部２１は、最終ページにおける印字可能範囲が終了した旧通帳を一時的に退避させるために、当該旧通帳を印字部２６から移送部２５へ引渡し、移送部２５を移動させて、当該旧通帳をいずれかの通帳情報処理部２９内へ移送して、当該旧通帳を一次退避させる。
【０１５１】
旧通帳を一次退避させたプリンタ制御部２１は、移送部２５を新通帳収納部５５との通帳受渡位置へ移動させて停止させ、新通帳収納部５５から図示しない駆動手段により繰出ローラ５７を回転させて繰出した新通帳を、搬送ローラ３３により移送部２５内へ搬送し、新通帳を取込んだ移送部２５をＵ方向に移動させて取込位置に停止させる。
【０１５２】
新通帳を取込んだ移送部２５を取込位置に停止させたプリンタ制御部２１は、当該旧通帳の金融機関情報としての金融機関名を基に記憶部２３から新通帳への表紙印字情報を読出し、新通帳を印字部２６内へ搬送して表紙印字位置に停止させ、ステップＳＣ６において記憶部２３に保存した旧通帳の通帳情報を基に、新通帳のおもて表紙への必要事項の印字を行う。
【０１５３】
この場合に見返しへの印字が必要な場合は、プリンタ制御部２１は、おもて表紙への印字を終えた新通帳を移送部２５によりページ捲り部２７へ移送して新通帳のおもて表紙を捲り、移送部２５により見返しを開いた状態の新通帳を再び印字部２６へ移送して、見返しへの必要事項の印字を行う。
【０１５４】
新通帳のおもて表紙等への印字を終えたプリンタ制御部２１は、新通帳を移送部２５によりページ捲り部２７へ移送して新通帳の最初の記帳ページを開き、これを移送部２５により印字部２５へ移送し、ページセンサ２４によりページマークの読取りを行って正しいページが聞かれたか否かを確認し、正しいページが開かれていた場合は、当該新通帳を印字位置まで搬送して残っている未印字の記帳データの印字を行いながらステップＳＣ１３へ移行する。
なお、正しいページが開かれていなかった場合は、正しいページになるように、上記と同様にして捲り直し（リトライ）を行う。
【０１５５】
ＳＣ１３：プリンタ制御部２１は、ステップＳＣ８による通帳Ｔへの印字処理との並行処理により、印字処理の終了を監視しており、印字処理が終了した場合はステップＳＣ１４へ移行する。印字処理が終了していない場合は、ステップＳＣ８へ戻って、ステップＳＣ９、ＳＣ１１、ＳＣ１３による監視を継続しながら、新通帳または通帳Ｔへの印字処理を継続する。
【０１５６】
ＳＣ１４：新通帳または通帳Ｔへの印字処理を終えたプリンタ制御部２１は、新通帳を発行した場合はステップＳＣ１６へ移行する。新通帳を発行しなかった場合、つまり通帳Ｔへの印字処理を終えた場合はステップＳＣ１５へ移行する。
【０１５７】
ＳＣ１５：通帳Ｔへの印字処理の終了を認識したプリンタ制御部２１は、上記実施例２のステップＳＢ１２と同様にして、記帳を終えた通帳Ｔを通帳挿入口２４から排出し、顧客による通帳Ｔの受取りを確認してシャッタを閉鎖し、今回の通帳処理を終了させ、ステップＳＣ１へ戻って取引案内画面を表示しながら「取引開始」キーの押下を待って待機する。
【０１５８】
ＳＣ１６：新通帳への印字処理の終了を認識したプリンタ制御部２１は、上記ステップＳＣ１２において一時退避させた旧通帳を保持している通帳情報処理部２９へ移送部２５を移動させて、その通帳受渡位置に停止させ、当該通帳情報処理部２９から使用を終えた旧通帳を移送部２５へ引渡し、その移送部２５を取込位置へ移動させて停止させ、上記実施例２のステップＳＢ１２と同様にして、旧通帳を通帳挿入口２４から排出し、顧客による旧通帳の受取りを確認してステップＳＣ１７へ移行する。
【０１５９】
ＳＣ１７：旧通帳を顧客に返却したプリンタ制御部２１は、記帳を終えた新通帳を、印字部２６から移送部２５へ引渡し、これを上記ステップＳＣ６で特定した磁気ヘッド２８の搭載部位（移送部２５またはいずれかの通帳情報処理部２９）へ移送し、その磁気ヘッド２８により記憶部２３に保存した旧通帳の通帳情報を新通帳の磁気ストライプＳに書込む（更新内容の書込が必要な場合は同時に書込む。）。
【０１６０】
ＳＣ１８：新通帳への通帳情報の書込みを終えたプリンタ制御部２１は、当該磁気ヘッド２８の搭載部位から当該新通帳を移送部２５へ引渡し、その移送部２５を取込位置へ移動させて停止させ（当該磁気ヘッド２８の搭載部位が移送部であって、取込位置に停止している場合を含む。）、上記実施例２のステップＳＢ１２と同様にして、新通帳を通帳挿入口２４から排出し、顧客による旧通帳の受取りを確認してシャッタを閉鎖し、今回の通帳処理を終了させ、ステップＳＣ１へ戻って取引案内画面を表示しながら「取引開始」キーの押下を待って待機する。
【０１６１】
上記のように、本実施例では、複数の金融機関の通帳Ｔの磁気ストライプＳに対応して新通帳の発行処理ができるので、金融機関の合併等に伴い、複数の金融機関の通帳Ｔを統合して、統一した新通帳への仕様変更が発生し、顧客が所有する通帳Ｔを新通帳に切替える必要が生じた場合等において、本実施例の通帳プリンタ２を用いれば、新通帳の発行のために金融機関の窓口に出向く必要がなくなり、顧客の利便性を向上させることができると共に、金融機関の窓口における大量の新通帳の発行業務を行う必要がなくなり、窓口業務の業務効率を向上させることができる。
【０１６２】
なお、本実施例では新通帳収納部５５が一つの場合を例に説明したが、新通帳収納部５５を複数設けて、取引が可能な各金融機関の新通帳を発行するようにしてもよい。
また、本実施例では、新通帳のおもて表紙等に印字するときの表紙印字情報は、通帳プリンタ２の記憶部２３に格納しておくとして説明したが、新通帳の発行処理のときにホストコンピュータ６と交信して表紙印字情報を取得するようにしてもよい。
【０１６３】
なお、本実施例では、通帳プリンタ２の各搬送路を水平方向となるように配置するとして説明したが、上記実施例１と同様に通帳プリンタ２の各搬送路を垂直方向となるように配置してもよい。このようにすれば、本実施例の通帳プリンタ２の水平方向の幅を小さくすることが可能になる。
【０１６４】
以上説明したように、本実施例では、上記実施例２と同様の効果に加えて、複数の金融機関の通帳Ｔの磁気ストライプＳに対する処理が可能な通帳プリンタに、印字部の下方に直列に配置した、収納した新通帳を繰出す新通帳収納部を設けたので、旧通帳の最終ページの印字可能範囲が終了した場合においても、継続使用する新通帳を発行することができ、顧客の利便性を向上させることができると共に、金融機関の窓口における新通帳の発行業務を行う必要がなくなり、窓口業務の業務効率を向上させることができる。
【０１６５】
なお、上記実施例２または実施例３においては、通帳プリンタ２に表示部５１とキー入力部５２を設けてホストコンピュータ６との直接交信を可能とし、通帳記帳取引を単独で行うとして説明したが、表示部５１とキー入力部５２を省略して、上記実施例１と同様に、現金自動預払機１に接続するようにし、現金自動預払機１からの指令によって、各通帳Ｔを取扱う通帳処理を行うようにしてもよい。このようにすれば、コンビニエンスストア等の設置スペースに制限がある店舗であっても、複数の金融機関の通帳Ｔを用いた取引処理を可能にした現金自動預払機１を設置することができ、コンビニＡＴＭ等を利用する顧客の利便性を向上させることができる。
【０１６６】
また、上記実施例１の通帳プリンタ２に、上記実施例２または実施例３と同様に、表示部５１とキー入力部５２を設けてホストコンピュータ６との直接交信を可能とし、通帳記帳取引を単独で行うようにしてもよい。このようにすれば、上記実施例２または実施例３と同様の効果に加えて、水平方向の幅寸法を小さくして通帳プリンタ２の設置スペースを更に少なくすることができる。
【０１６７】
更に、上記各実施例においては、通帳プリンタを現金自動預払機と接続するとして説明したが、金融機関の窓口に設置された窓口端末に接続するようにしてもよい。このようにすれば、金融機関の窓口業務において、他の金融機関の通帳Ｔを取扱うことが可能になる。
更に、上記各実施例においては、ページセンサは印字部に配置するとして説明したが、移送部等に配置するようにしてもよい。
【０１６８】
更に、上記各実施例においては、移送部２５の磁気ヘッド２８ａ、２８ｂおよび通帳情報処理部２９ａの磁気ヘッド２９ｃ、２９ｄは、通帳Ｔの搬送中に磁気ストライプＳに記録された通帳情報の読取り、書込みを行う固定式の磁気ヘッド２８であるとして説明したが、特開平６−１８０９５４号公報に開示された磁気ヘッド２８のように磁気ヘッド２８を移動させて、通帳情報の読取り、書込みを行う移動式の磁気ヘッド２８であってもよい。
【０１６９】
更に、上記各実施例においては、現金自動預払機または通帳プリンタと、各金融機関のホストコンピュータとを直接接続するとして説明したが、中継センタを介して接続するようにしてもよい。
【符号の説明】
【０１７０】
１    現金自動預払機
２    通帳プリンタ
４    ネットワーク
６    ホストコンピュータ
７    通信回線
１１  ＡＴＭ制御部
１２、２２  通信部
１３、２３  記憶部
１４、５１  表示部
１５、５２  キー入力部
１６  カード取扱部
１７  紙幣取扱部
２１  プリンタ制御部
２４  通帳挿入口
２４ａ  挿入センサ
２５  移送部
２６  印字部
２６ａ  印字ヘッド
２６ｂ  プラテン
２６ｃ  インクリボンカセット
２７  ページ捲り部
２８、２８ａ〜２８ｆ  磁気ヘッド
２９、２９ａ〜２９ｃ  通帳情報処理部
３１  共用搬送路
３１ａ、３１ｂ、３６ａ、３６ｂ  搬送ガイド
３３  搬送ローラ
３３ａ  搬送フィードローラ
３３ｂ  搬送プレッシャローラ
３４  共用基準面
３６  印字搬送路
３７  ページセンサ
３８  印字基準面
４０  捲り搬送路
４１  捲りローラ
４２  クランプローラ
４５、４５ａ〜４５ｃ  処理搬送路
４５ａ〜４５ｃ  処理基準面
５５  新通帳収納部
５６  通帳搬送路
５７  繰出ローラ
【図１】
0005733026.tif 000002
【図２】
0005733026.tif 000003
【図３】
0005733026.tif 000004
【図４】
0005733026.tif 000005
【図５】
0005733026.tif 000006
【図６】
0005733026.tif 000007
【図７】
0005733026.tif 000008
【図８】
0005733026.tif 000009
【図９】
0005733026.tif 000010
【図１０】
0005733026.tif 000011
【図１１】
0005733026.tif 000012
【図１２】
0005733026.tif 000013
【図１３】
0005733026.tif 000014
【図１４】
0005733026.tif 000015
【図１５】
0005733026.tif 000016
【図１６】
0005733026.tif 000017